(57)【特許請求の範囲】
【請求項１】
ドアの室内側面に取付けられるラッチ支持体１０と、
このラッチ支持体１０に支持され、ドアの左右方向にスライド操作可能なラッチ３０と、
ドアの室外側面に取り付けられる表示板支持体２０と、
前記ラッチ支持体１０と前記表示板支持体２０との間に配置され、前記ラッチ３０のスライド操作に連動して正逆回転する連結軸４０と、
前記表示板支持体２０に支持されて前記連結軸４０の正逆回転に連動して正逆回転し、その表面に設けられた使用表示部５１と不使用表示部５２とを切り替え表示する表示板５０と、を備えるスライドラッチ錠１において、
スライド左右端の一方端からスライド中間にある付勢方向切り替え点の手前までスライドさせたラッチ３０を前記スライド一方端に向けて付勢し、かつ前記付勢方向切り替え点を越えてスライドさせたラッチ３０を前記スライド左右端の他方端に向けて付勢する弾性部材６０、７０をさらに備えることを特徴とするスライドラッチ錠。
【請求項２】
前記弾性部材は、前記ラッチ３０がスライド左右端から前記付勢方向切り替え点に向けてスライドするにつれてその曲げ撓みが大きくなるように、一端がラッチ３０の裏面に支持され他端がラッチ支持体１０の表面に支持されたコイルスプリング６０である請求項1に記載のスライドラッチ錠。
【発明の詳細な説明】
【技術分野】
【０００１】
この発明は、ドアを施錠開錠するスライドラッチ錠に関する。
【背景技術】
【０００２】
便所の個室等の室内外を仕切る壁パネルに付属するドアを施錠開錠するスライドラッチ錠は、ドアの室内側面の戸先寄りに取り付けられたラッチ支持体に支持されたラッチをドアの左右方向にスライド操作し、このラッチの先端部を、ドアが取り付けられた壁パネルの開口縁内側に設けられたラッチ受けに係合させることで、ドアを閉鎖した状態で施錠するしくみとなっている。
【０００３】
ここで、ラッチのスライドによる直線運動に連動して、ドアの外側面に取り付けられた表示板支持体に回転可能に支持された円形の表示板を正逆回転させ、その表示板の表面に設けられた半円状の使用表示部と不使用表示部とを切換え表示することで、室内の使用状態と不使用状態を室外から判別可能としたものがある。
【０００４】
ところで、この種の表示機能を備えるスライドラッチ錠においては、ラッチの施錠位置と開錠位置との間のスライドのストローク量が大きいため、ラッチを施錠位置から開錠位置まで移動させたとき表示板が数回転し、その使用表示部と不使用表示部が繰り返し切り替え表示されることになる。
【０００５】
したがって、ラッチのスライド操作が中途半端であると、室内が使用中にもかかわらず不使用表示部が表示されたり、あるいは、不使用であるにもかかわらず使用表示部が表示されたりし、使用状態、不使用状態の判別がつかないことがあった。
【０００６】
このような不都合を解消するため、特許文献１には、ラッチの左右へのスライド運動を、ラッチ支持体と表示板支持体の間に配置された連結軸の回転運動に変換し、この連結軸に連動して表示板を正逆回転させるようにしたスライドラッチ錠について、連結軸と表示板との間に、所定の負荷に応じてその連動を断つクラッチを構成したものが開示されている。
【０００７】
より詳細には、この表示板の表面を扇型の表示窓が設けられた表示カバーで覆い、表示板の表面の使用表示部と不使用表示部との境界にこの表示窓にはまり込む突起を設け、表示板の回転によりこの突起が表示窓の左右一方の縁部に係合すると、連結軸と表示板との連動が断たれるようにし、これにより表示板が半回転（１８０度）以上回転しないようになっている。
【０００８】
このように、表示板が半回転以上しないように構成しているため、ラッチのスライドが中途半端であっても、使用表示部および不使用表示部が繰り返し切り替え表示されることがないようになっている。
【特許文献１】特開２００５−３６５７５号公報
【発明の開示】
【発明が解決しようとする課題】
【０００９】
しかし、このようにスライドラッチ錠にクラッチを構成すると、構造が複雑となり、コストがかかる問題がある。
【００１０】
そこで、この発明は、スライドラッチ錠について簡単な構造でかつ低コストに、室内の使用状態、不使用状態を明確に判別できるようにすることである。
【課題を解決するための手段】
【００１１】
上記した課題を解決するため、ドアの室内側面に取付けられるラッチ支持体と、このラッチ支持体に支持され、ドアの左右方向にスライド操作可能なラッチと、ドアの室外側面に取り付けられる表示板支持体と、ラッチ支持体と表示板支持体との間に配置され、ラッチのスライド操作に連動して正逆回転する連結軸と、表示板支持体に支持されて連結軸の正逆回転に連動して正逆回転し、その表面に設けられた使用表示部と不使用表示部とを切り替え表示する表示板と、を備えるスライドラッチ錠において、以下の構成を採用したのである。
すなわち発明にかかるスライドラッチ錠は、スライド左右端の一方端からスライド中間にある付勢方向切り替え点の手前までスライドさせたラッチをスライド一方端に向けて付勢し、かつ付勢方向切り替え点を越えてスライドさせたラッチをスライド左右端の他方端に向けて付勢する弾性部材をさらに備える構成を採用したのである。
【００１２】
このようにすると、ラッチは弾性部材によって付勢されてスライドの左右端のいずれか一方にまで完全にスライドし切るため、中途半端な位置で止まることなく、室内の使用状態、不使用状態を明確に判別することができる。
またラッチを付勢方向切り替え点を越えてスライドさせると、スライド他方端側に付勢方向が切り替わり、弾性部材が以降のスライドを助勢（アシスト）するため、ラッチのスライド操作に力が要らない。
このようにスライドラッチ錠に弾性部材を組み込んだだけの構成であるから、構造が簡単であり、コストが低廉である。
【００１３】
この弾性部材としてコイルスプリングを選択し、このコイルスプリングの一端がラッチの裏面に支持され、他端がラッチ支持体の表面に支持されるようにして、ラッチがスライド左右端から付勢方向切り替え点に向けてスライドするにつれてコイルスプリングの曲げ撓みが大きくなるように構成するのが好ましい。
【００１４】
コイルスプリングは、付勢方向切り替え点において曲げ撓みにより蓄積された弾性エネルギーが最大となる。
そのため、曲げ撓んだ状態からできるだけ真っ直ぐに戻ろうとする力（復元力）によって、付勢方向切り替え点の手前までスライドさせたラッチは戻る方向に付勢され、付勢方向切り替え点を越えてスライドさせたラッチは進む方向に付勢されることになる。
【発明の効果】
【００１５】
スライドラッチ錠が、スライド左右端の一方端からスライド中間の付勢方向切り替え点の手前までスライドさせたラッチを前記スライド一方端に向けて付勢し、付勢方向切り替え点を越えてスライドさせたラッチをスライド左右端の他方端に向けて付勢する弾性部材を備えることとしたので、ラッチは中途半端な位置で止まることなく、弾性部材の付勢でスライドの左右端のいずれか一方にまで完全にスライドし切るため、簡単な構造で室内の使用状態、不使用状態を明確に判別することができる。
【発明を実施するための最良の形態】
【００１６】
図１から図６に示すように、この発明のスライドラッチ錠１は、個室の室内外を仕切る壁パネルＰのドアＤの室内側面の戸先寄りに取付けられるラッチ支持体１０と、ドアＤの室外側面の戸先寄りに取付けられる表示板支持体２０とを有し、両支持体はドアＤを挟んで着脱自在に連結されている。
【００１７】
図示のように、この連結は、ラッチ支持体１０の裏面に設けられたねじ筒１１に、表示板支持体２０の表裏を貫通する貫通孔に差し込まれたボルト２１をねじ合わせることによる。
ラッチ支持体１０は左右方向に細長く、その上下面には左右端に至る案内溝１２が設けられている。
また、ラッチ支持体１０の表面の左右端間の中間部には、並列する小さな取り付けピン１３が固定され、取り付けピン１３間からは円柱形のストッパ１４が突出している。
【００１８】
ラッチ支持体１０には左右方向に細長いラッチ３０が支持されている。
ラッチ３０は、断面コの字形をなしてラッチ支持体１０の表面および上下面の前側部を覆い、その上下板の側縁には内向きに延びる係合片３２が設けられ、前記案内溝１２にスライド自在に嵌合されている。
上下の係合片３２のうち、上側の係合片３２の左右方向の中間部にはラック３１が形成されている。
さらに、ラッチ３０の裏面であって、ラック３１の下方には凹部３０ａが形成されており、この凹部３０ａには、並列する小さな取り付けピン３３ａが固定され、取り付けピン３３ａ間から突出するストッパ３３ｂを有するバネプレート３３がはめ込まれている。
【００１９】
このラッチ３０はラッチ支持体１０の案内溝１２に沿って左右方向にスライドし、ドアＤが取り付けられた壁パネルＰの室内側面に先端部が臨んだ施錠位置までスライド可能になっている。
この位置において、ラッチ３０の先端部は壁パネルＰの室内側面に設けられたピン型のラッチ受けＬにはまり込み、これにより施錠されるようになっている（図６参照）。
【００２０】
ラッチ３０の裏面と、ラッチ支持体１０の表面とのわずかな隙間の間には、径が１ｍｍ〜２ｍｍ程度の並列する２つの小径のコイルスプリング６０（引きバネ）が曲げ撓んだ状態で架け渡されている。
各コイルスプリング６０のラッチ支持体１０側の端部は、取り付けピン１３にかしめられて固定され、ラッチ３０側の端部は、バネプレート３３の取り付けピン３３ａにかしめられて固定されており、その曲げ撓みの方向は互いに干渉しないように離反する方向となっている（図４から図６参照）。
ここで取り付けピン１３、３３ａは、それぞれ大径のピンヘッドを有しているため、コイルスプリング６０の両端部は抜け止めされている。
【００２１】
コイルスプリング６０の端部を取り付ける取り付けピン１３、３３ａは、上記のようにそれぞれラッチ支持体１０とラッチ３０の左右方向の中央部に設けられているため、取り付けピン１３、３３ａ同士は、ラッチ３０がそのスライドの左右端からスライドの中心に向かうにつれて接近することになる。
そのため、ラッチ３０がスライドの左右端からスライド中心に向かうにつれて、両端が取り付けピン１３、３３ａにかしめられたコイルスプリング６０の曲げ撓みは大きくなり、スライド中心において、この曲げ撓みにより蓄積された弾性エネルギーが最大となるようになっている。
ここで、ストッパ１４、３３ｂにより、ラッチ３０のスライド操作中にコイルスプリング６０の曲げ撓みの方向が反転することが防止されており、スプリング６０同士が互いに接近して干渉する事態が防止されている。
【００２２】
また、ラッチ支持体１０と表示板支持体２０の間には連結軸４０が配置されている。
この連結軸４０は、ラッチ支持体１０に回転自在に支持された原動軸４１と、表示板支持体２０に回転自在に支持された従動軸４２とからなり、前記原動軸４１に角軸部４１ａが設けられ、この角軸部４１ａが従動軸４２に形成された原動軸側角孔４２ａに挿入されている。
【００２３】
また、原動軸４１のラッチ支持体１０側の端部には円錐形のクッションスプリング４３ａを介してピニオン４３が取付けられ、このピニオン４３はラッチ支持体１０の案内溝１２に臨み、前記ラッチ３０の係合片３２のラック３１に噛み合っている。
したがって、ラッチ３０を左右方向にスライドさせると、連結軸４０がこれに連動して正逆回転するようになっている。
【００２４】
表示板支持体２０は、概略コの字型をなし、その前後方向に対向する支持パネル２２，２３にはそれぞれ軸孔２２ａ、２３ａが設けられ、これに従動軸４２が抜け止め状態に挿通して回転可能に支持されている。
また、従動軸４２の表示板支持体２０側の端面には表示板側角孔４２ｂが形成されている。
【００２５】
この従動軸４２の表示板側角孔４２ｂには、表示板５０の裏面中央に形成された角軸部５０ａが差し込まれ、表示板５０は連結軸４０に連動して正逆回転するようになっている。
ここで円板である表示板５０の表面は２分割され、半円状の使用表示部５１と半円状の不使用表示部５２とが設けられている。
使用表示部５１はたとえば表示板５０の表面の上半分に半円形の赤シールを貼付することで形成され、不使用表示部５２はたとえば表示板５０の表面の下半分に半円形の青シールを貼付することで形成される。
また、表示板５０の表面の中央は円柱形に突出し、その先端にドライバの係合孔が設けられて緊急開錠部５３を構成している。
【００２６】
また、表示板支持体２０には、その表面側から表示カバー２４が被せられボルト止めされている。
さらに、この表示カバー２４には扇型の表示窓２５が設けられており、表示板５０が回転すると、その使用表示部５１と不使用表示部５２がこの表示窓２５を通して室外側に切り替え表示されるようになっている。
さらに、この表示窓２５からは表示板５０の緊急開錠部５３が外部に臨んでいる。
【００２７】
実施形態のスライドラッチ錠１は以上の構成からなり、図４は、ラッチ３０が開錠位置（スライド左右端の一方端）にある状態を示し、この開錠位置において、表示板５０の不使用表示部５２が表示窓２５に表示されている。
【００２８】
この状態から、図５のようにラッチ３０を施錠位置（スライド左右端の他方端）に向けてスライドさせると、連結軸４０を介して表示板５０が回転するが、このときラッチ３０がスライドの中心に向かうにつれて、コイルスプリング６０の曲げ撓みが大きくなる。
【００２９】
そのため、このスライドをスライド中心の手前で中止すると、コイルスプリング６０が曲げ撓んだ状態からできるだけ真っ直ぐになろうとする復元力により、ラッチ３０は再び開錠位置に戻る方向に付勢される。
したがって、ラッチ３０は開錠位置に向けてスライドし、スライド操作を開始する以前の開錠位置にまで途中で止まることなく完全に戻り切る。
【００３０】
一方、施錠位置に向かうラッチ３０のスライドがスライド中心を越えると、コイルスプリング６０が曲げ撓んだ状態からできるだけ真っ直ぐになろうとする復元力により、ラッチ３０は施錠位置に向けて付勢される。
ラッチ３０のスライド中心においてコイルスプリング６０の曲げ撓みが最大（すなわち弾性エネルギーが最大）となるため、スライド中心を越えると付勢方向が切り替わり施錠位置に向けて付勢されることになる。
そのためラッチ３０は施錠位置に向けてスライドし、図６のように、途中で止まることなく完全に施錠位置にまでスライドし切る。
この施錠位置においては、表示板５０の使用表示部５１が表示窓２５に表示されることになる。
【００３１】
以上のように、いずれにせよ、ラッチ３０は中途半端な位置で止まらず、ラッチ３０のスライド中心がコイルスプリング６０の付勢方向の切り替え点となって、ラッチ３０を施錠位置か開錠位置の一方にまで完全にスライドさせる。
このため、使用表示部５１か不使用表示部５２のいずれかのみが表示窓２５に表示されることになり、室内の使用不使用を室外側から明確に判別することができる。
また、ラッチ３０のスライド操作がスライド中心を越えると、以降はコイルスプリング６０の付勢でスライドしたい方向にラッチ３０が助勢されるため、操作に力が要らない。
【００３２】
ラッチ３０を施錠位置から開錠位置にスライド操作するときも同様であり、スライド中心よりも手前で操作を中止すると、コイルスプリング６０の付勢で施錠位置に完全に戻り切り、スライド中心を越えると、コイルスプリング６０の付勢で開錠位置まで完全にスライドし切る。
【００３３】
このようにして、スライドラッチ錠１にコイルスプリング６０を組み込んだだけの簡単な構造であるから、製造コストは低廉である。
コイルスプリング６０は、径が小さく、またラッチ３０とラッチ支持体１０の隙間に配置されているため、外部から目立つことなく、したがってスライドラッチ錠１の見た目に悪影響を及ぼさず、かつスライドラッチ錠１の寸法が大きくなることもない。
【００３４】
なお、何らかの理由で室内側から通常の開錠ができない緊急時においては、緊急開錠部５３のドライバ溝にドライバなどを係合させて、表示板５０および連結軸４０を回転させ、これによりラッチ３０をスライドさせて室外側から緊急開錠することができる。
したがって、この場合でも、室外側からスライドラッチ錠１を開錠操作することができるようになっている。
【００３５】
実施形態では、ラッチ３０のスライド中心とコイルスプリング６０の付勢方向の切り替え点が一致しており、これがスライド操作する上では通常もっとも好ましいが、付勢方向の切り替え点はラッチ３０のスライド左右端の中間であれば特にスライド中心と一致しなくともよい。
コイルスプリング６０の曲げ撓みが最大となる点、換言すれば蓄積された弾性エネルギーが最大となる点が付勢方向の切り替え点となり、この切り替え点の位置は、バネプレート３３のラッチへ３０の固定位置、ラッチ支持体１０の取り付けピン１３の位置等を変化させることで、適宜調節可能である。
【００３６】
また実施形態では、弾性部材として径の小さなコイルスプリング６０（引きバネ）を用いているが、これに限定されず、たとえば径の小さなコイルスプリング（押しバネ）や厚みの小さなトーションスプリング（ねじりバネ）、寸法の小さな板ばねなどを用いてもよい。
押しバネや板ばねではラッチ３０のスライドにともなう曲げ撓みが最大となる点が付勢方向の切り替え点となり、トーションスプリングではラッチ３０のスライドにともなうねじりが最大となる点が付勢方向の切り替え点となる。
押しバネを用いる場合には、実施形態の引きバネと同様にその両端部をラッチ支持体１０の表面とラッチ３０の裏面にそれぞれ固定するとよい。
トーションスプリングを用いる場合には、図７のように、その両足をラッチ支持体１０の取り付けピン１３とラッチ３０のバネプレート３３の取り付けピン３３ａにそれぞれ固定し、ラッチ３０をスライド左右端から付勢方向の切り替え点（図７ではスライド中心となっている。）に向けてスライドさせるにつれてそのねじりが大きくなるように調整するとよい。
いずれの弾性部材を使用するにせよ、外部から目立たないように、スライドラッチ錠１の寸法が大きくならないように組み込むことが好ましい。
【００３７】
なお、コイルスプリング６０（および他の弾性部材）の数は特に実施形態に限定されず、ラッチ３０がスライド操作しやすいように適宜数を調節することができる。
ここで付勢力を大きくしたいときには数を増やし、小さくしたいときには数を減らすとよいことは無論である。
【００３８】
さらに、ラッチ３０と連結軸４０とが連動する構造、および連結軸４０と表示板５０とが連動する構造は実施形態に限定されることない。
たとえば、ラッチ３０と連結軸４０との間、および連結軸４０と表示板５０との間に適宜ギアを介在させて表示板５０の回転を調整したり、これらの間にクラッチを構成して表示板５０の回転角度を一定範囲に制限したりしてもよいことは無論である。
【図面の簡単な説明】
【００３９】
【図１】スライドラッチ錠の全体斜視図
【図２】スライドラッチ錠の一部切り欠き平面図
【図３】図２のIII−III断面図
【図４】スライドラッチ錠のラッチがスライド一方端にある状態を示す（ａ）は一部切り欠き平面図、（ｂ）は（ａ）のIV−IV断面図
【図５】スライドラッチ錠のラッチがスライド中心にある状態を示す（ａ）は一部切り欠き平面図、（ｂ）は（ａ）のＶ−Ｖ断面図
【図６】スライドラッチ錠のラッチがスライド他方端にある状態を示す（ａ）は一部切り欠き平面図、（ｂ）は（ａ）のVI−VI断面図
【図７】ラッチとラッチ支持体にトーションスプリングを架け渡した場合の動作を示す図
【符号の説明】
【００４０】
Ｄ  ドア
Ｐ  壁パネル
Ｌ  ラッチ受け
１  スライドラッチ錠
１０  ラッチ支持体
１１  ねじ筒
１２  案内溝
１３  取り付けピン
１４  ストッパ
２０  表示板支持体
２１  ボルト
２２、２３  支持パネル
２２ａ、２３ａ  軸孔
２４  表示カバー
２５  表示窓
３０  ラッチ
３０ａ  凹部
３１  ラック
３２  係合片
３３  バネプレート
３３ａ  取り付けピン
３３ｂ  ストッパ
４０  連結軸
４１  原動軸
４１ａ  角軸部
４２  従動軸
４２ａ  原動軸側角穴
４２ｂ  表示板側角穴
４３  ピニオン
４３ａ  クッションスプリング
５０  表示板
５０ａ  角軸部
５１  使用表示部
５２  不使用表示部
５３  緊急開錠部
６０  コイルスプリング
７０  トーションスプリング
【図１】
0004919977.tif 000002
【図２】
0004919977.tif 000003
【図３】
0004919977.tif 000004
【図４】
0004919977.tif 000005
【図５】
0004919977.tif 000006
【図６】
0004919977.tif 000007
【図７】
0004919977.tif 000008